(57)【要約】【課題】既設の浴槽に装着可能な入浴補助具を提供することである。【解決手段】入浴補助具１０は、浴槽４内に装着可能な入浴補助具１０であって、被介護者６が座るための座面１２ａを有する座部１２と、座部１２の下部に設けられ、内部に流体を出し入れすることで上下方向に膨張又は縮小して座部１２を昇降させる昇降部１４と、座部１２を昇降可能に支持し、浴槽４内の上面部と底面部との間における座部１２の昇降を案内する脚部１８と、昇降部１４の内部に流体を流入させるポンプ部１６と、を備える。【選択図】図１
0003209107.tif 000002
【実用新案登録請求の範囲】
【請求項１】
浴槽内に装着可能な入浴補助具であって、
被介護者が座るための座面を有する座部と、
前記座部の下部に設けられ、内部に流体を出し入れすることで上下方向に膨張又は縮小して前記座部を昇降させる昇降部と、
前記座部を昇降可能に支持し、前記浴槽内の上面部と底面部との間における前記座部の昇降を案内する脚部と、
前記昇降部の前記内部に前記流体を流入させるポンプ部と、
を備えることを特徴とする入浴補助具。
【請求項２】
請求項１に記載の入浴補助具において、
前記昇降部は、平面視の中央部に貫通孔を有する円環形状を有することを特徴とする入浴補助具。
【請求項３】
請求項１又は請求項２に記載の入浴補助具において、
前記脚部は、前記浴槽内の側面に吸着可能な吸着パッドを有することを特徴とする入浴補助具。
【考案の詳細な説明】
【技術分野】
【０００１】
本考案は、入浴補助具に関する。
【背景技術】
【０００２】
高齢者等の要介護者が日々の生活を送るには、様々なサポートを受けることが必要である。例えば、被介護者の入浴についても介護者に支援してもらう必要があるが、介護者が被介護者を抱えて浴槽内にゆっくりと入浴させるためには、相当の注意力と労力を要する。
【０００３】
本考案に関連する技術として、例えば、特許文献１には、身体障がい者や寝たきり老人等をベッドから移動させずに、ベッドに寝かせたままの状態で入浴させることができる浴槽に兼用させることのできる介護用ベッドが開示されている。
【０００４】
この介護ベッドは、エアーマットと、患者をとりまくフレームに取り付けられた浴槽側面防水シートと、浴槽側面防水シートの上部に取り付けられた空気噴出口を持つパイプ状防水シートと、上記フレームを上下させるフレーム昇降装置と、ベッド本体とを備えている。そして、入浴時にはフレーム昇降装置により浴槽側面防水シートを上昇させ、ベッド上に浴槽を作り、入浴が終われば、浴槽側面カバーを下ろし、べッドとして使用する構成が開示されている。
【先行技術文献】
【特許文献】
【０００５】
【特許文献１】特開平１０−２４０８３号公報
【考案の概要】
【考案が解決しようとする課題】
【０００６】
上記特許文献１の介護ベッドによれば、身体障がい者や寝たきりの老人をベッドに寝かせたままの状態で入浴させることができる。しかしながら、特許文献１の構成は、介護ベッド自体を浴槽にもするような大掛かりな構造が必要となり、寝たきりという状態まではいかず浴槽まで歩いて移動できるような介護レベルの場合は、ここまで大規模な設備は不要なことがある。したがって、既設の浴槽に装着可能な入浴補助具を取り付けて対応することが経済的な観点からも好ましいと言える。
【０００７】
本考案の目的は、既設の浴槽に装着可能な入浴補助具を提供することである。
【課題を解決するための手段】
【０００８】
本考案に係る入浴補助具は、浴槽内に装着可能な入浴補助具であって、被介護者が座るための座面を有する座部と、前記座部の下部に設けられ、内部に流体を出し入れすることで上下方向に膨張又は縮小して前記座部を昇降させる昇降部と、前記座部を昇降可能に支持し、前記浴槽内の上面部と底面部との間における前記座部の昇降を案内する脚部と、前記昇降部の前記内部に前記流体を流入させるポンプ部と、を備えることを特徴とする。
【０００９】
また、本考案に係る入浴補助具において、前記昇降部は、平面視の中央部に貫通孔を有する円環形状を有することが好ましい。
【００１０】
また、本考案に係る入浴補助具において、前記脚部は、前記浴槽内の側面に吸着可能な吸着パッドを有することが好ましい。
【考案の効果】
【００１１】
本考案によれば、既設の浴槽内に装着することができる。これにより、被介護者又はその家族などの経済的な負担が軽くしつつ、介護者の労力を減らして被介護者の介護を行うことができる。
【図面の簡単な説明】
【００１２】
【図１】本考案に係る実施の形態において、浴槽に装着された入浴補助具の座部が上面部に位置している状態を示す図である。
【図２】本考案に係る実施の形態において、浴槽に装着された入浴補助具の座部が底面部に位置している状態を示す図である。
【考案を実施するための形態】
【００１３】
以下に、本考案に係る実施の形態について添付図面を参照しながら詳細に説明する。  以下では、全ての図面において同様の要素には同一の符号を付し、重複する説明を省略する。また、本文中の説明においては、必要に応じそれ以前に述べた符号を用いるものとする。
【００１４】
図１は、浴槽４に装着された入浴補助具１０の座部１２が上面部に位置している状態を示す図である。図２は、浴槽４に装着された入浴補助具１０の座部１２が底面部に位置している状態を示す図である。
【００１５】
入浴補助具１０は、座部１２と、昇降部１４と、ポンプ部１６と、脚部１８とを備える。入浴補助具１０は、被介護者６が浴槽４内に入る際に介護者８による介護を支援する装置である。
【００１６】
座部１２は、被介護者６が座るための座面１２ａと、座面１２ａに立設し被介護者６がもたれるための背もたれ１２ｂとを備える。座面１２ａは、被介護者６にとって座り心地が良いように中央部に向かって凹部を有している。
【００１７】
また、背もたれ１２ｂは、被介護者６の背骨の形状に沿うように略Ｓ字形状を有している。座部１２は、適度な柔軟性と防水性を有する材質で構成されていればよく、例えば、ゴム部材を用いて構成することができる。
【００１８】
昇降部１４は、座部１２の下部に設けられ、内部に流体を出し入れすることで上下方向に膨張又は縮小して座部１２を昇降させる機能を有する。昇降部１４は、適度な柔軟性と防水性を有する材質で構成されていればよく、例えば、ゴム部材を用いて構成される。
【００１９】
昇降部１４は、中央部が貫通している浮き輪を積層したような積層構造（図１では６層）を有している。なお、各浮き輪部は相互に連通している。これにより、図１に示されるように昇降部１４が膨張して座部１２が浴槽４の上面部に位置したときに中央部において上下方向に貫通する貫通孔１４ａが形成されることになる。なお、ここでは、昇降部１４は、浮き輪形状を有する円環状であるものとして説明したが、その他の形状であってもよく、例えば、中央部に貫通孔を有する多角形状（例えば、四角形）であってもよい。このとき、貫通孔の形状は外形と同じ多角形状であっても良いが、異なる形状にすることもできる。
【００２０】
ポンプ部１６は、昇降部１４の内部に流体を流入させる循環ポンプを備える。ここで、流体は液体と気体を含む概念であるが、ここでは、気体の一例である空気を昇降部１４の内部に流入させるものとして説明する。
【００２１】
ポンプ部１６は、介護者８の操作によって作動し、ポンプ部１６から昇降部１４内に空気を送り込む流入モードにすると、昇降部１４の内部に連通されるチューブを介して空気を送り込む。これにより、昇降部１４が膨張して、最も膨らんだときに、図１に示されるように、座部１２が上面部に位置する。
【００２２】
介護者８の操作により、昇降部１４内からポンプ部１６を介して空気を排出する排出モードにすると、昇降部１４内のチューブを通りポンプ部１６を介して排出される。ここでは、昇降部１４内からの空気の排出は、ポンプ部１６を用いて行うものとして説明したが、ポンプ部１６を用いずに、昇降部１４に設けられた栓を開き、介護者６の体重を利用して、空気を排出することもできる。これにより、昇降部１４が縮小して、最も縮んだときに、図１に示されるように、座部１２が浴槽４の底面部に位置する。
【００２３】
脚部１８は、座部１２を昇降可能に支持し、浴槽４内の上面部と底面部との間における座部１２の昇降を案内する。脚部１８は、適度な強度を有する材料で構成されていればよく、例えば、金属や樹脂等を用いて構成することができる。
【００２４】
脚部１８は、座部１２の幅方向両端部に立設された２つの案内レール１８ａであり、座部１２から突出した凸部に設けられる駒の移動を案内する凹部を含む２つの案内レール１８ａを有する。この２つの案内レール１８ａの上部に跨って設けられる架設部１８ｂを有している。
【００２５】
脚部１８は、２つの案内レール１８ａの下部から浴槽４の底面に沿って２つの案内レール１８ａに垂直方向に延伸するように設けられる２つの延伸部１８ｃを備えている。２つの延伸部１８ｃの間には、昇降部１４が載置され、昇降部１４の底面を支持するための平面部材が設けられている。
【００２６】
脚部１８は、浴槽４内の側面に吸着可能な吸着パッド部２０を有する。吸着パッド部２０は、２つの延伸部１８ｃの底面部に各延伸部１８ｃの長手方向端部に設けられる吸着パッド２０ａと、２つの案内レール１８において浴槽４の上面側に設けられる吸着バッド２０ｂとを備える。吸着パッド２０ａ，２０ｂは、浴槽４の側面に押し付けるように圧力を加えることで、浴槽４の側面に吸着される機能を有している。
【００２７】
続いて、上記構成からなる入浴補助具１０を作用について説明する。介護者による介護が必要な要介護者がお風呂に入る際に、介護者８がポンプ部１６を作動させると、ポンプ部１６から昇降部１４内に空気が送り込まれる。
【００２８】
空気が入って昇降部１４が膨張すると、昇降部１４の上部に設けられた座部１２の駒部が案内レール１８ａの凹部によって案内されて上昇する。そして、昇降部１４が最も膨らんだときに図１に示されるように座部１４が浴槽４の上面部に位置するようになる。
【００２９】
そして、介護者８は被介護者６が浴槽４内の座部１２に座れるように被介護者６をサポートする。このとき、被介護者６が深く腰をかけた状態で座面１２ａに座りつつ、背もたれ１２ｂにもたれかかった状態となるように、しっかりと座らせることが好適ある。
【００３０】
その後、ポンプ部１６を用いて昇降部１４内からの空気を排出すると、昇降路１４が縮小し、これに伴って座部１２が下降する。昇降部１４が最も縮んで座部１２が底面部に位置すると、図２に示されるように、被介護者６を浴槽４内のお湯に浸かった状態にすることができる。なお、昇降部１４から空気を排出するには、ポンプ部１６を用いずに、例えば、昇降部１４に設けられた空気排出用の栓を開き、被介護者６が座部１２に座った重みを利用して、昇降部１４内の空気を排出することもできる。
【００３１】
その後、被介護者６が浴槽４から出る場合には、上記と同様に、再び、ポンプ部１６を作動させて、昇降部１４内に空気を送り込むことにより、図１に示されるように、座部１２を再び浴槽４の上面部まで上昇させた後に、被介護者６が浴槽４から出るサポートを行うことで、例えば、被介護者６のほぼ全身が浴槽４に浸かった状態から介護者８が被介護者６を抱きかかえて引き上げるような労力は必要なく、負担を軽くして介護することができるという利点がある。
【００３２】
また、入浴補助具１０の昇降部１４は、平面視の中央部に貫通孔１４ａを有している。これにより、昇降部１４がポンプ部１６からの空気の流入により膨張する際に貫通孔１４ａ側へ逃げることが出来き、円環状の昇降部１４がほぼ均一に膨らんでいくため、座部１２が浴槽４の底面に対して、平行な状態を保ったまま上昇させることができるというメリットがある。すなわち、座部１２が傾いた状態で上昇することを抑制することができる。
【００３３】
さらに、入浴補助具１０は、上記のように、介護者８の負担を軽減させるだけでなく、既存の浴槽４内に配置し、吸着パッド２０ａ，２０ｂを吸着させるだけで取り付けることができるため、大掛かりな工事も必要なく、少ないコストで既存の浴槽４を介護補助機能つきの浴槽４にすることができるという効果がある。
【符号の説明】
【００３４】
４  浴槽、６  被介護者、８  介護者、１０  入浴補助具、１２  座部、１２ａ  座面、１２ｂ  背もたれ、１４ 昇降部、１４ａ  貫通孔、１６  ポンプ部、１８  脚部、１８ａ  案内レール、１８ｂ  架設部、１８ｃ  延伸部、２０  吸着パッド部、２０ａ，２０ｂ  吸着パッド。
【図１】
0003209107.tif 000003
【図２】
0003209107.tif 000004